(57)【特許請求の範囲】
【請求項１】
遊技台に対応して設けられており、前記遊技台において遊技客が獲得した遊技媒体を計数する計数部を有する各台装置であって、
複数の記録媒体を格納可能な格納部と、挿入口と前記格納部との間に位置する搬送路上に設けられたリーダライタ部とを有し、前記リーダライタ部の位置に第１の記録媒体が所在する状態で、前記挿入口に第２の記録媒体が挿入される場合には、前記第１の記録媒体を前記格納部に一時待避させた後に、前記第２の記録媒体を前記リーダライタ部の位置に搬送して該第２の記録媒体に対して読み書きを行い、前記挿入口に前記第２の記録媒体が挿入されない場合には、前記リーダライタ部の位置に所在する第１の記録媒体に対して読み書きを行う記録媒体処理ユニットと、
前記計数部により計数された持玉価値を記憶する記憶手段と、
前記記憶手段に記憶された持玉価値のうち分割対象となる持玉価値を示す分割数を受け付ける受付手段と、
持玉価値の分割指示を受け付けた場合に、前記記憶手段に記憶された持玉価値から前記分割数を減算しつつ、該分割数を分割持玉価値として分割する分割手段と、
前記分割手段によって分割された前記分割持玉価値を、前記記録媒体処理ユニットによって前記リーダライタ部の位置に位置付けられた前記第１の記録媒体又は前記第２の記録媒体へ関連付ける関連付け手段と、
前記関連付け手段によって前記分割持玉価値が関連付けられた前記第１の記録媒体又は前記第２の記録媒体を排出するように前記記録媒体処理ユニットに対して指示する排出指示手段と
を備えたことを特徴とする各台装置。
【請求項２】
前記関連付け手段は、
前記分割指示を受け付けた後に前記挿入口から前記第２の記録媒体が挿入された場合に、前記リーダライタ部の位置に位置づけられた前記第２の記録媒体へ前記分割持玉価値を関連付け、
前記排出指示手段は、
前記分割持玉価値が関連付けられた前記第２の記録媒体を排出するように前記記録媒体処理ユニットに対して指示することを特徴とする請求項１に記載の各台装置。
【請求項３】
前記関連付け手段は、
前記挿入口から前記第２の記録媒体が挿入されていない場合に、前記リーダライタ部の位置に位置づけられた前記第１の記録媒体へ前記分割持玉価値を関連付け、
前記排出指示手段は、
前記分割持玉価値が関連付けられた前記第１の記録媒体を排出するように前記記録媒体処理ユニットに対して指示することを特徴とする請求項１に記載の各台装置。 
【請求項４】
前記関連付け手段は、
前記分割指示を受け付けた後に前記挿入口から前記第２の記録媒体が挿入されたならば、当該第２の記録媒体へ前記分割持玉価値を関連付け、前記第２の記録媒体が挿入されなかったならば、前記格納部から前記リーダライタ部の位置に搬送され該リーダライタ部の位置に位置づけられた第１の記録媒体へ前記分割持玉価値を関連付け、
前記排出指示手段は、
前記分割持玉価値が関連付けられた前記第１の記録媒体又は前記第２の記録媒体を排出するように前記記録媒体処理ユニットに対して指示することを特徴とする請求項１に記載の各台装置。 
【請求項５】
前記記録媒体処理ユニットは、
前記挿入口から前記第２の記録媒体が挿入される場合に、前記リーダライタ部の位置に前記第１の記録媒体が位置付けられているならば、当該第１の記録媒体を前記格納部の最上位に待避したうえで、前記第２の記録媒体を前記リーダライタ部の位置に位置付けることを特徴とする請求項１〜４のいずれか一つに記載の各台装置。 
【請求項６】
前記関連付け手段は、
前記排出指示手段によって前記分割持玉価値が関連付けられた前記第２の記録媒体の排出指示がなされた後、前記格納部に格納された第１の記録媒体を、前記持玉価値から前記分割持玉価値を差し引いた持玉価値の関連付け先として取り扱うことを特徴とする請求項１〜５のいずれか一つに記載の各台装置。 
【請求項７】
前記分割指示の受付前に前記挿入口から挿入された前記第１の記録媒体に関連付けられた前記持玉価値を取得する持玉価値取得手段
をさらに備えたことを特徴とする請求項１〜６のいずれか一つに記載の各台装置。 
【請求項８】
遊技台に対応して設けられており、前記遊技台において遊技客が獲得した遊技媒体を計数する計数部を有する各台装置において分割記録媒体の発行を行う分割記録媒体発行システムであって、
前記各台装置は、
複数の記録媒体を格納可能な格納部と、挿入口と前記格納部との間に位置する搬送路上に設けられたリーダライタ部とを有し、前記リーダライタ部の位置に第１の記録媒体が所在する状態で、前記挿入口に第２の記録媒体が挿入される場合には、前記第１の記録媒体を前記格納部に一時待避させた後に、前記第２の記録媒体を前記リーダライタ部の位置に搬送して該第２の記録媒体に対して読み書きを行い、前記挿入口に前記第２の記録媒体が挿入されない場合には、前記リーダライタ部の位置に所在する第１の記録媒体に対して読み書きを行う記録媒体処理ユニットと、
前記計数部により計数された持玉価値を記憶する記憶手段と、
前記記憶手段に記憶された持玉価値のうち分割対象となる持玉価値を示す分割数を受け付ける受付手段と、
持玉価値の分割指示を受け付けた場合に、前記記憶手段に記憶された持玉価値から前記分割数を減算しつつ、該分割数を分割持玉価値として分割する分割手段と、
前記分割手段によって分割された前記分割持玉価値を、前記記録媒体処理ユニットによって前記リーダライタ部の位置に位置付けられた前記第１の記録媒体又は前記第２の記録媒体へ関連付ける関連付け手段と、
前記関連付け手段によって前記分割持玉価値が関連付けられた前記第１の記録媒体又は前記第２の記録媒体を排出するように前記記録媒体処理ユニットに対して指示する排出指示手段と
を備えたことを特徴とする分割記録媒体発行システム。
【発明の詳細な説明】
【技術分野】
【０００１】
この発明は、遊技台に対応して設けられる各台装置および分割記録媒体発行システムに関し、特に、持玉やプリペイド価値といった有価価値を分割しての譲り渡しを、既存のカード以外の記録媒体を利用することなく行うことができる各台装置および分割記録媒体発行システムに関する。
【背景技術】
【０００２】
従来から、パチンコ店などの遊技店に設置されるパチンコ機やパチスロ機といった遊技台と併設され、紙幣や硬貨といった貨幣を受け付けてパチンコ玉やメダルといった遊技媒体を貸し出す貸出処理機（以下、「台間装置」と記載する）が知られている。
【０００３】
また、遊技台において遊技客が獲得した遊技媒体の数量を各台間装置と接続された計数部が計数する、いわゆる各台計数方式も知られてきた（たとえば、特許文献１参照）。
【０００４】
かかる各台計数方式に対応した台間装置は、計数部に投入された遊技媒体の数量（以下、「持玉」と記載する）を計数し、ＩＣ（Integrated  Circuit）カードなどの情報記憶が可能なカード状記録媒体（以下、単に「カード」と記載する）に対して持玉を関連付けることができる。なお、遊技媒体の計数後、持玉の払い出しを行えば、かかる持玉は減算される。
【０００５】
また、台間装置は、かかる持玉だけでなく、遊技客から受け付けた現金のプリペイド価値も同様に、カードに対して関連付けることができる。
【０００６】
したがって、遊技客は、遊技媒体の現物を持ち歩くことなく、かかる持玉やプリペイド価値を関連付けたカードのみを所持して他の遊技台へ移動し、遊技を継続することができる。
【０００７】
ところで、遊技店を訪れる遊技客は、同行者をともなって複数名で来店することが少なくない。また、かかる複数の遊技客の間で、上述の持玉や現金を共有して遊技を行う遊技形態も存在する。なお、かかる遊技形態を、以下「譲り渡し」と記載する。
【０００８】
そして、従来から、かかる譲り渡しを行うに際しては、遊技客同士が、遊技媒体の現物や現金を実際に受け渡すことが行われてきた。また、近年では、従業員が、持玉の一部を分割して従業員専用のＩＣタグへと記憶させることで、かかる譲り渡しを可能とする技術も登場してきている。
【先行技術文献】
【特許文献】
【０００９】
【特許文献１】特開２００７−２２９１１１号公報
【発明の概要】
【発明が解決しようとする課題】
【００１０】
しかしながら、従来の各台計数方式では、持玉やプリペイド価値をカードに関連付ける場合には、遊技客が譲り渡しを行いづらいという問題点があった。
【００１１】
具体的には、ひとりの遊技客が獲得した持玉の一部を分割して他の遊技客に貸与しようとする場合、持玉は台間装置の計数部で計数されるのみで、現物の遊技媒体として存在しない。したがって、現物の受け渡しができないという点で利便性に欠ける。
【００１２】
この点、持玉の払出操作によって現物の遊技媒体を受け渡すことは可能であるが、台間装置の遊技媒体払出単位は、一般に少量の所定数に限られており、貸与にあたって相当の払出操作を必要とすることから、やはり利便性に欠ける。
【００１３】
また、カードを貸与するとしたところで、持玉がカードへと関連付けられる時機は、台間装置がカード返却操作を受け付けた遊技終了時であるため、貸与する側の遊技客は一旦遊技を終了させる必要がある。この点においても、やはり利便性に欠けることとなる。
【００１４】
さらに、持玉が関連付けられるカードは１枚のみであるため、仮にカードを貸与しても、貸与した側の遊技客は、自身の獲得した持玉で遊技が継続できないこととなり、期待する遊技の娯楽性を享受できない結果となる。
【００１５】
また、上述した従業員専用のＩＣタグを利用する技術も、貸与元となる台間装置と貸与先となる台間装置とで従業員の操作が必要であり、従業員がかかる対応に追われれば、遊技店の稼働率低下の一因ともなりうる。
【００１６】
さらに、同技術は、遊技店側が現状導入済みのカードおよびカード機構以外に、従業員専用のＩＣタグおよびＩＣタグ機構を導入する必要があるため、経営上の費用対効果の低下を招きかねない。
【００１７】
これらのことから、持玉やプリペイド価値といった有価価値を分割しての譲り渡しを、既存のカード以外の記録媒体を利用することなく行うことができる各台装置あるいは分割記録媒体発行システムをいかにして実現するかが大きな課題となっている。
【００１８】
本発明は、上述した従来技術による問題点を解消するためになされたものであって、持玉やプリペイド価値といった有価価値を分割しての譲り渡しを、既存のカード以外の記録媒体を利用することなく行うことができる各台装置および分割記録媒体発行システムを提供することを目的とする。
【課題を解決するための手段】
【００１９】
上述した課題を解決し、目的を達成するため、本発明は、遊技台に対応して設けられており、前記遊技台において遊技客が獲得した遊技媒体を計数する計数部を有する各台装置であって、複数の記録媒体を格納可能な格納部と、挿入口と前記格納部との間に位置する搬送路上に設けられたリーダライタ部とを有し、前記リーダライタ部の位置に第１の記録媒体が所在する状態で、前記挿入口に第２の記録媒体が挿入される場合には、前記第１の記録媒体を前記格納部に一時待避させた後に、前記第２の記録媒体を前記リーダライタ部の位置に搬送して該第２の記録媒体に対して読み書きを行い、前記挿入口に前記第２の記録媒体が挿入されない場合には、前記リーダライタ部の位置に所在する第１の記録媒体に対して読み書きを行う記録媒体処理ユニットと、前記計数部により計数された持玉価値を記憶する記憶手段と、前記記憶手段に記憶された持玉価値のうち分割対象となる持玉価値を示す分割数を受け付ける受付手段と、持玉価値の分割指示を受け付けた場合に、前記記憶手段に記憶された持玉価値から前記分割数を減算しつつ、該分割数を分割持玉価値として分割する分割手段と、前記分割手段によって分割された前記分割持玉価値を、前記記録媒体処理ユニットによって前記リーダライタ部の位置に位置付けられた前記第１の記録媒体又は前記第２の記録媒体へ関連付ける関連付け手段と、前記関連付け手段によって前記分割持玉価値が関連付けられた前記第１の記録媒体又は前記第２の記録媒体を排出するように前記記録媒体処理ユニットに対して指示する排出指示手段とを備えたことを特徴とする。 
【００２２】
また、本発明は、上記の発明において、前記関連付け手段は、前記分割指示を受け付けた後に前記挿入口から前記第２の記録媒体が挿入された場合に、前記リーダライタ部の位置に位置づけられた前記第２の記録媒体へ前記分割持玉価値を関連付け、前記排出指示手段は、前記分割持玉価値が関連付けられた前記第２の記録媒体を排出するように前記記録媒体処理ユニットに対して指示することを特徴とする。
【００２３】
また、本発明は、上記の発明において、前記関連付け手段は、前記挿入口から前記第２の記録媒体が挿入されていない場合に、前記リーダライタ部の位置に位置づけられた前記第１の記録媒体へ前記分割持玉価値を関連付け、前記排出指示手段は、前記分割持玉価値が関連付けられた前記第１の記録媒体を排出するように前記記録媒体処理ユニットに対して指示することを特徴とする。
【００２４】
また、本発明は、上記の発明において、前記関連付け手段は、前記分割指示を受け付けた後に前記挿入口から前記第２の記録媒体が挿入されたならば、当該第２の記録媒体へ前記分割持玉価値を関連付け、前記第２の記録媒体が挿入されなかったならば、前記格納部から前記リーダライタ部の位置に搬送され該リーダライタ部の位置に位置づけられた第１の記録媒体へ前記分割持玉価値を関連付け、前記排出指示手段は、前記分割持玉価値が関連付けられた前記第１の記録媒体又は前記第２の記録媒体を排出するように前記記録媒体処理ユニットに対して指示することを特徴とする。
【００２５】
また、本発明は、上記の発明において、前記記録媒体処理ユニットは、前記挿入口から前記第２の記録媒体が挿入される場合に、前記リーダライタ部の位置に前記第１の記録媒体が位置付けられているならば、当該第１の記録媒体を前記格納部の最上位に待避したうえで、前記第２の記録媒体を前記リーダライタ部の位置に位置付けることを特徴とする。
【００２６】
また、本発明は、上記の発明において、前記関連付け手段は、前記排出指示手段によって前記分割持玉価値が関連付けられた前記第２の記録媒体の排出指示がなされた後、前記格納部に格納された第１の記録媒体を、前記持玉価値から前記分割持玉価値を差し引いた持玉価値の関連付け先として取り扱うことを特徴とする。 
【００２７】
また、本発明は、上記の発明において、前記分割指示の受付前に前記挿入口から挿入された前記第１の記録媒体に関連付けられた前記持玉価値を取得する持玉価値取得手段をさらに備えたことを特徴とする。 
【００２８】
また、本発明は、遊技台に対応して設けられており、前記遊技台において遊技客が獲得した遊技媒体を計数する計数部を有する各台装置において分割記録媒体の発行を行う分割記録媒体発行システムであって、前記各台装置は、複数の記録媒体を格納可能な格納部と、挿入口と前記格納部との間に位置する搬送路上に設けられたリーダライタ部とを有し、前記リーダライタ部の位置に第１の記録媒体が所在する状態で、前記挿入口に第２の記録媒体が挿入される場合には、前記第１の記録媒体を前記格納部に一時待避させた後に、前記第２の記録媒体を前記リーダライタ部の位置に搬送して該第２の記録媒体に対して読み書きを行い、前記挿入口に前記第２の記録媒体が挿入されない場合には、前記リーダライタ部の位置に所在する第１の記録媒体に対して読み書きを行う記録媒体処理ユニットと、前記計数部により計数された持玉価値を記憶する記憶手段と、前記記憶手段に記憶された持玉価値のうち分割対象となる持玉価値を示す分割数を受け付ける受付手段と、持玉価値の分割指示を受け付けた場合に、前記記憶手段に記憶された持玉価値から前記分割数を減算しつつ、該分割数を分割持玉価値として分割する分割手段と、前記分割手段によって分割された前記分割持玉価値を、前記記録媒体処理ユニットによって前記リーダライタ部の位置に位置付けられた前記第１の記録媒体又は前記第２の記録媒体へ関連付ける関連付け手段と、前記関連付け手段によって前記分割持玉価値が関連付けられた前記第１の記録媒体又は前記第２の記録媒体を排出するように前記記録媒体処理ユニットに対して指示する排出指示手段とを備えたことを特徴とする。
【発明の効果】
【００２９】
本発明によれば、遊技台に対応して設けられており、前記遊技台において遊技客が獲得した遊技媒体を計数する計数部を有する各台装置であって、複数の記録媒体を格納可能な格納部と、挿入口と前記格納部との間に位置する搬送路上に設けられたリーダライタ部とを有し、前記リーダライタ部の位置に第１の記録媒体が所在する状態で、前記挿入口に第２の記録媒体が挿入される場合には、前記第１の記録媒体を前記格納部に一時待避させた後に、前記第２の記録媒体を前記リーダライタ部の位置に搬送して該第２の記録媒体に対して読み書きを行い、前記挿入口に前記第２の記録媒体が挿入されない場合には、前記リーダライタ部の位置に所在する第１の記録媒体に対して読み書きを行う記録媒体処理ユニットと、前記計数部により計数された持玉価値を記憶する記憶手段と、前記記憶手段に記憶された持玉価値のうち分割対象となる持玉価値を示す分割数を受け付ける受付手段と、持玉価値の分割指示を受け付けた場合に、前記記憶手段に記憶された持玉価値から前記分割数を減算しつつ、該分割数を分割持玉価値として分割する分割手段と、前記分割手段によって分割された前記分割持玉価値を、前記記録媒体処理ユニットによって前記リーダライタ部の位置に位置付けられた前記第１の記録媒体又は前記第２の記録媒体へ関連付ける関連付け手段と、前記関連付け手段によって前記分割持玉価値が関連付けられた前記第１の記録媒体又は前記第２の記録媒体を排出するように前記記録媒体処理ユニットに対して指示する排出指示手段とを備えるよう構成したので、持玉価値を所持する遊技客における持玉価値の分割に伴う稼働低下を低減しつつ、持玉価値の分割を可能にできるという効果を奏する。 
【００３２】
また、本発明によれば、分割指示を受け付けた後に挿入口から第２の記録媒体が挿入された場合に、リーダライタ部の位置に位置づけられた第２の記録媒体へ分割持玉価値を関連付け、分割持玉価値が関連付けられた第２の記録媒体を排出することとしたので、遊技客は発行された分割カードを他の遊技客へ受け渡すだけで持玉価値の共有を可能とすることができるという効果を奏する。 
【００３３】
また、本発明によれば、挿入口から第２の記録媒体が挿入されていない場合に、リーダライタ部の位置に位置づけられた第１の記録媒体へ分割持玉価値を関連付け、分割持玉価値が関連付けられた第１の記録媒体を排出することとしたので、遊技店の非会員である一般客であっても、複数の遊技客間で持玉価値を分割して共有することができるという効果を奏する。 
【００３４】
また、本発明によれば、分割指示を受け付けた後に挿入口から第２の記録媒体が挿入されたならば、当該第２の記録媒体へ分割持玉価値を関連付け、第２の記録媒体が挿入されなかったならば、格納部からリーダライタ部の位置に搬送され該リーダライタ部の位置に位置づけられた第１の記録媒体へ分割持玉価値を関連付け、分割持玉価値が関連付けられた第１の記録媒体又は第２の記録媒体を排出することとしたので、遊技客が記録媒体を所持しているか否かに関わらず、分割持玉価値の動きのわかりやすい分割を柔軟に行うことができるという効果を奏する。
【００３５】
また、本発明によれば、挿入口からあらたな記録媒体が挿入された場合に、リーダライタ部に記録媒体が位置付けられているならば、かかる記録媒体を格納部の最上位に待避したうえで、あらたな記録媒体をリーダライタ部に位置付けることとしたので、会員カードの利用中であっても分割カードを発行することができ、遊技客の利便性を向上させることができるという効果を奏する。
【図面の簡単な説明】
【００３９】
【図１】図１は、本発明に係る分割カード発行手法の概要を示す図である。
【図２】図２は、本発明に係る台間装置および台間装置が接続されるネットワーク環境を示す図である。
【図３】図３は、台間装置の外観図である。
【図４】図４は、台間装置および管理装置の構成を示すブロック図である。
【図５】図５は、従業員の操作が介在する操作例を示す図である。
【図６】図６は、従業員の操作が介在しない操作例を示す図である。
【図７】図７は、実施例１に係る台間装置が実行する処理手順の概要を示す図である。
【図８】図８は、実施例１に係る台間装置が実行する処理手順を示すフローチャートである。
【図９】図９は、実施例１に係る台間装置が実行する処理手順の変形例を示す図である。
【図１０】図１０は、実施例２に係る台間装置が実行する処理手順の概要を示す図である。
【図１１】図１１は、実施例２に係る台間装置が実行する処理手順を示すフローチャートである。
【図１２】図１２は、実施例２に係る台間装置が実行する処理手順の変形例を示す図である。
【発明を実施するための形態】
【００４０】
以下に、添付図面を参照して、本発明に係る各台装置および分割記録媒体発行システムの好適な実施例を詳細に説明する。なお、以下では、主に分割記録媒体がカードである場合について説明することとする。また、以下では、本発明に係る分割カード発行手法の概要について図１を用いて説明した後に、本発明に係る分割カード発行手法を適用した各台装置および分割記録媒体発行システムについての実施例を図２〜図１２を用いて説明することとする。また、以下の説明では、各台装置を台間装置と記載することとする。
【００４１】
まず、実施例の詳細な説明に先立ち、本発明に係る分割カード発行手法の概要について図１を用いて説明する。図１は、本発明に係る分割カード発行手法の概要を示す図である。なお、同図には、台間装置１０において、保有価値としてプリペイド価値５０００円と持玉１００００玉とを有する遊技客が、かかる保有価値の分割を所望する場合の例を示している。
【００４２】
図１の（Ａ）に示したように、本発明に係る分割カード発行手法では、従業員が携帯するリモコン３０などを用いて保有価値の分割指定を行うこととした。そして、かかる分割指定に基づいて保有価値の分割を行い、分割指定分の持玉やプリペイド価値をカードへ関連付けて、かかるカードを分割カード１Ｄとして排出することとした。
【００４３】
具体的には、同図の（Ａ−１）に示したように、まず、台間装置１０は、リモコン３０からの分割モード開始指示をリモコン受光部５３で受け付けて、分割モードへと遷移する。なお、ここにいう分割モードにおいては、台間装置１０は、保有価値を一旦確定するために、たとえば、あらたな紙幣の受け付けや遊技媒体の貸し出しなどを行わないものとする。
【００４４】
つづいて、図１の（Ａ−２）に示したように、台間装置１０は、リモコン３０からの分割指定入力を受け付ける。なお、同図では、プリペイド価値３０００円と持玉４０００玉とを分割指定分として入力した場合を示している。
【００４５】
ここで、分割指定入力のパターンについて説明しておく。本発明に係る分割カード発行手法においては、同図の（Ａ−２）に示したように、プリペイド価値および持玉の個別の分割指定が可能であるものとする。
【００４６】
また、かかる個別の分割指定において、全額の指定あるいは不分割の指定も可能とする。ただし、双方ともに全額の指定、および双方ともに不分割の指定は不可とする。
【００４７】
つづいて、同図の（Ａ−３）に示したように、台間装置１０は、保有価値から分割指定分の価値を減算して残価値を算出する分割処理を行う。ここでは、プリペイド価値については２０００円（＝５０００円−３０００円）の残価値が、持玉については６０００玉（＝１００００玉−４０００玉）の残価値が、それぞれ算出されることとなる。
【００４８】
そして、同図の（Ａ−４）に示したように、台間装置１０は、分割指定分の有価価値をカードに関連付けて、かかるカードを分割カード１Ｄとして、カードユニット部５７から排出する。
【００４９】
なお、同図には、従業員の携帯するリモコン３０からの分割指示操作の例を示したが、たとえば、従業員の操作を介在させずに、遊技客が台間装置１０の操作・表示部（図示せず）から分割指示操作を行うこととしてもよい。この点については、図６を用いて後述する。
【００５０】
このように、本発明に係る分割カード発行手法によれば、台間装置１０が、遊技中の遊技客に対応するカードを取扱中である場合であっても、分割指定分の有価価値を関連付けた分割カード１Ｄを発行することができる。したがって、譲り渡しを行う遊技客同士は、かかる分割カード１Ｄの受け渡しを行うだけでよく、かかる受け渡しの後は、双方とも通常と同じ手順で遊技の娯楽性を享受することができる。遊技店側も、利便性に優れた遊技サービスを提供できるので、遊技店の稼働率向上を企図することができる。
【００５１】
以下では、図１を用いて説明した分割カード発行手法を適用した台間装置および分割記録媒体発行システムについての実施例を詳細に説明する。
【００５２】
なお、以下に示す実施例１では、遊技店発行の会員カードを利用中でない遊技客（主に一般客）が一般カードで譲り渡しを行う場合について、実施例２では、会員カードを利用中の遊技客（主に会員）が一般カードで譲り渡しを行う場合について、順次説明する。
【００５３】
また、以下に示す実施例１では、図２を用いて本発明に係る台間装置および管理装置が接続されるネットワーク環境を、図３を用いて台間装置の外観を、図４を用いて本発明に係る台間装置および管理装置の構成を、図５および図６を用いて本発明に係る分割カード発行手法の操作例を、それぞれ説明するが、これらの点については実施例２においても同様であるため、実施例２の説明においては記載を省略する。
【実施例１】
【００５４】
まず、本発明に係る台間装置および管理装置が接続されるネットワーク環境について図２を用いて説明する。図２は、本発明に係る台間装置および管理装置が接続されるネットワーク環境を示す図である。
【００５５】
同図に示すように、遊技台１００ごとに併設される台間装置１０は、店舗内ＬＡＮ（Local  Area  Network）２０などのネットワーク経由で、管理装置２００、島コントローラ３００、精算機４００、景品管理機５００、カード処理機６００、景品払出機７００といった各装置と接続されている。なお、本発明に係る分割記録媒体発行システムは、台間装置１０および管理装置２００を含むものとする。
【００５６】
遊技店の従業員が携帯するリモコン３０は、台間装置１０に対して種々の操作を指示できる携帯端末装置である。たとえば、リモコン３０は、従業員の入力操作によって、台間装置１０に対して分割モード開始指示を送信したり、分割価値の大きさ（たとえば、玉数や金額）を送信したりする。
【００５７】
また、島コントローラ３００は、台間装置１０および遊技台１００が設置される遊技島ごとに設けられる中継装置であり、管理装置２００／台間装置１０間、あるいは、管理装置２００／遊技台１００間の通信データを中継する。
【００５８】
ここで、台間装置１０がカードを返却した場合、他の遊技台１００で遊技を継続する意思がない遊技客は、カードを精算機４００へ挿入することで、プリペイド価値に応じた貨幣を受け取る。
【００５９】
また、遊技客は、景品交換コーナーへカードを持参し、カード処理機６００にカードをかざしたり挿入したりする。そして、遊技店の従業員が景品管理機５００や景品払出機７００を操作することで、遊技客は、持玉価値に応じた景品を受け取ることとなる。
【００６０】
また、同図に示すように、管理装置２００は、台間装置１０ごとの分割モード状態を管理するデータベース（以下、「ＤＢ」と記載する）である分割管理ＤＢ２００ａを有している。なお、分割管理ＤＢ２００ａは、分割モード開始時刻や終了時刻、台番号など、台間装置１０ごとの分割モード状態に関する情報を含むものとする。
【００６１】
さらに、同図に示すように、管理装置２００は、遊技客が獲得した持玉を管理する持玉ＤＢ２００ｂと、プリペイド価値を管理するプリペイドカードＤＢ２００ｃとを有している。
【００６２】
たとえば、図１に示した分割カード１Ｄへ関連付けられる分割指定分の持玉やプリペイド価値は、管理装置２００が管理する持玉ＤＢ２００ｂやプリペイドカードＤＢ２００ｃによっても管理されている。
【００６３】
なお、上述の各ＤＢを、単一の管理装置２００が有するものとして説明したが、分割管理用の管理装置を別途設けることとしたうえで、かかる分割管理用の管理装置が分割管理ＤＢ２００ａを管理することとしてもよい。
【００６４】
次に、図２に示した台間装置１０について、さらに詳細に説明する。図３は、台間装置１０の外観図である。なお、同図には、台間装置１０の特徴を説明するために必要な構成要素のみを示しており、一般的な構成要素についての記載を省略している。
【００６５】
また、同図の（Ａ）には、台間装置１０全体の外観図を、同図の（Ｂ）には、カードユニット部５７の概略図を、それぞれ示している。なお、同図の（Ａ）には、台間装置１０が併設された遊技台１００を破線で示している。また、同図では、紙幣のみを受け付ける台間装置１０を示しているが、硬貨受け付け用のユニットを備えることとしてもよい。
【００６６】
図３の（Ａ）に示したように、台間装置１０は、台間装置１０の装置状態を所定色のランプの点灯あるいは点滅で表示する状態表示部５１と、遊技媒体貸し出しのための各種紙幣を受け付ける紙幣挿入部５２と、遊技店の従業員が携帯するリモコン３０からの分割指示を受け付けるリモコン受光部５３と、ディスプレイなどの表示部およびテンキーといった操作部を含んだ操作・表示部５４とを備えている。
【００６７】
また、台間装置１０は、パチンコ玉などの遊技媒体を払い出すノズルを備えた払出部５５と、携帯電話などの移動携帯端末とのデータ送受信を行う携帯通信部５６とを備えている。
【００６８】
さらに、台間装置１０は、一般カードや会員カードといったカード状記録媒体の挿入口であるとともに、分割指定分の持玉やプリペイド価値などが関連付けられた分割カード１Ｄの排出口でもあるカードユニット部５７と、遊技客の持玉を計数する計数部５８と、現物の持玉を貯留する玉貯留部５９とを備えている。
【００６９】
ここで、遊技台１００の下皿から落下した遊技媒体は、玉貯留部５９を経て計数部５８へと導かれ、数量を計数される。なお、計数後の遊技媒体は、遊技島内に形成される図示しない遊技媒体回収経路へ排出されるが、計数結果（持玉）は台間装置１０内部に記憶される。
【００７０】
次に、図３の（Ａ）に示した台間装置１０のカードユニット部５７について、さらに詳細に説明する。図３の（Ｂ）は、カードユニット部５７の概略図である。また、同図の（Ｂ−α）には、カードユニット部５７を同図のＺ軸の負方向からみた概略前面図を、同図の（Ｂ−β）には、同ユニット部５７を同図のＹＺ平面で切断しＸ軸の正方向からみた概略側断面図を示している。
【００７１】
同図の（Ｂ）に示したように、カードユニット部５７は、カード搬送部５７ａと、リーダライタ部５７ｂと、格納部５７ｄとを備えている。また、リーダライタ部５７ｂは、アンテナ部５７ｃをさらに備えている。なお、カードユニット部５７が取り扱うカードは、ＩＣチップを内蔵するいわゆるＩＣカードであり、あらかじめ識別符号（カード識別子）が記録されるとともに、持玉やプリペイド価値などの有価価値に関する情報が記録される。そして、持玉やプリペイド価値は、管理装置２００の持玉ＤＢ２００ｂやプリペイドカードＤＢ２００ｃにおいても管理される。
【００７２】
カード搬送部５７ａは、遊技店の会員に対して発行される会員カードなどのカード状記録媒体の挿入に際して、同媒体を同図のＺ軸の正方向へと搬送する。また、同媒体の排出に際しては、同媒体を同図のＺ軸の負方向へと搬送する。
【００７３】
リーダライタ部５７ｂは、カード状記録媒体とのデータ送受信を行うアンテナ部５７ｃを有している。また、リーダライタ部５７ｂは、かかるデータ送受信に際して、同媒体をアンテナ部５７ｃ上に保持する。したがって、台間装置１０が、カード状記録媒体に対して保有価値の分割指定分の関連付けを行う際には、同媒体はかかるリーダライタ部５７ｂへと搬送され位置付けられる必要がある。
【００７４】
格納部５７ｄは、遊技店の非会員である一般客に主に利用されるいわゆる一般カードの格納領域である。なお、かかる一般カードは、遊技店の開店前などにかかる格納部５７ｄへあらかじめ所定枚数が格納されている。また、有価価値が関連付けられた一般カードが、挿入口から挿入された場合、リーダライタ部５７ｂにて有価価値を読み取ったうえで関連付けを解消する。そして、関連付けが解消された一般カードは、格納部５７ｄへ格納される。
【００７５】
ところで、台間装置１０が保有価値の分割指定分の関連付けを行う際には、格納部５７ｄへ格納された所定枚数の一般カードのうち、常に最上位に位置する一般カードがリーダライタ部５７ｂへと搬送される。
【００７６】
ここで、遊技客が会員カードを利用して遊技を行う際、従来は、かかる会員カードはリーダライタ部５７ｂによりアンテナ部５７ｃ上に保持され、排出されるまで格納部５７ｄへと搬送および格納されることはなかった。
【００７７】
これに対し、本実施例１に係る台間装置１０では、分割用のあらたなカード（分割カード）が挿入口から挿入された場合、アンテナ部５７ｃ上に保持されている会員カードを、格納部５７ｄへ待避させる。これにより、台間装置１０は、会員カードを排出することなく、分割カードを排出することができる。このように、同図の（Ｂ−β）に示したカード１は、一般カードである場合と会員カードである場合とがありうるが、この点の詳細については、図１０および図１１を用いて後述する。
【００７８】
次に、本発明に係る台間装置１０および管理装置２００の構成について図４を用いて説明する。図４は、台間装置１０および管理装置２００の構成を示すブロック図である。なお、同図には、台間装置１０および管理装置２００の特徴を説明するために必要な構成要素のみを示しており、一般的な構成要素についての記載を省略している。
【００７９】
同図に示すように、台間装置１０は、通信Ｉ／Ｆ（インタフェース）１１と、操作部１２と、計数部１３と、カード保持部１４と、制御部１５と、記憶部１６とを備えている。また、カード保持部１４は、リーダライタ部１４ａと、格納部１４ｂとを、制御部１５は、操作受付部１５ａと、分割部１５ｂと、関連付け部１５ｃと、排出部１５ｄとをさらに備えている。そして、記憶部１６は、持玉情報１６ａと、分割情報１６ｂと、プリペイド価値情報１６ｃとを記憶する。
【００８０】
通信Ｉ／Ｆ（インタフェース）１１は、ＬＡＮ（Local  Area  Network）ボードなどの通信デバイスで構成され、図２に示した店舗内ＬＡＮ２０などのネットワーク経由で、管理装置２００とのデータ送受信を行う。
【００８１】
操作部１２は、リモコン受光部５３（図３参照）やテンキーなどの入力デバイスから構成される。なお、指やポインティングデバイスなどの押圧感知により入力を受け付け、かつ表示出力も兼ねるタッチパネル式の液晶ディスプレイ（以下、単に「液晶操作部」と記載する）などを用いることとしてもよいし、簡素な表示出力を行う７セグメントＬＥＤからなる表示部品と複数個の操作ボタンとを備える操作・表示パネル（以下、単に「７セグ操作部」と記載する）を用いることとしてもよい。
【００８２】
ここで、分割カード発行の操作例について、図５および図６を用いて説明しておく。図５は、従業員の操作が介在する操作例を示す図、図６は、従業員の操作が介在しない操作例を示す図である。なお、図示していないが、以下の説明においても、図１に示したのと同様に保有価値としてプリペイド価値５０００円と持玉１００００玉とを有しているものとする。
【００８３】
まず、従業員の操作が介在する操作例について、図５を用いて説明する。なお、同図の（Ａ）には、従業員が携帯するリモコン３０のみを用いる場合について、同図の（Ｂ）には、同リモコン３０と台間装置１０が備える７セグ操作部５４ａとを用いる場合について、それぞれ示している。
【００８４】
同図の（Ａ）に示したように、従業員が携帯するリモコン３０のみを用いる場合、まず、台間装置１０は、リモコン３０からの分割モード開始指示をリモコン受光部５３で受け付けて、分割モードへと遷移する（同図の（Ａ−１）参照）。
【００８５】
そして、台間装置１０は、同リモコン３０からの分割指定入力を受け付ける。ここでは、プリペイド価値３０００円と持玉４０００玉とを分割指定分として入力した場合を示している（同図の（Ａ−２）参照）。なお、入力された分割指定分が、分割元となる保有価値分を超える場合は、入力を無効として再入力を促す。
【００８６】
また、同図の（Ｂ）に示したように、従業員が携帯するリモコン３０と７セグ操作部５４ａとを用いる場合、まず、台間装置１０は、リモコン３０からの分割モード開始指示をリモコン受光部５３で受け付けて、分割モードへと遷移する（同図の（Ｂ−１）参照）。
【００８７】
そして、台間装置１０は、７セグ操作部５４ａのテンキーなどからの分割指定入力を受け付ける（同図の（Ｂ−２）参照）。なお、７セグ操作部５４ａの操作については、従業員が操作することとしてもよいし、遊技客が操作することとしてもよい。
【００８８】
このように、従業員の操作が介在する場合、従業員の対応を要するものの、導入が容易であり、かつ、操作ミスを防ぐことができるという利点がある。また、従業員の対応は、分割カードを発行する際のみで足り、分割カードの利用先（たとえば、他の台間装置１０）では、従業員の対応は不要である。
【００８９】
次に、従業員の操作が介在しない操作例について、図６を用いて説明する。同図の（Ａ）には、台間装置１０が備える液晶操作部５４ｂを用いる場合について、同図の（Ｂ）には、遊技客が所持する非接触ＩＣチップ搭載の移動携帯端末（以下、単に「携帯電話」と記載する）を用いる場合について、それぞれ示している。なお、液晶操作部５４ｂについては、台間装置１０に接続される情報提供端末などが備えることとしてもよい。
【００９０】
同図の（Ａ）に示したように、台間装置１０が備える液晶操作部５４ｂを用いる場合、まず、台間装置１０は、分割モード開始指示を液晶操作部５４ｂで受け付けて、分割モードへと遷移する（同図の（Ａ−１）参照）。
【００９１】
そして、台間装置１０は、同液晶操作部５４ｂからの分割指定入力を受け付ける（同図の（Ａ−２）参照）。なお、同図に示した分割指定入力の内容については、図５の場合と同様であるので、ここでの説明は省略する。
【００９２】
また、同図の（Ｂ）に示したように、遊技客が所持する携帯電話を用いる場合、まず、台間装置１０は、携帯電話のタッチ操作などによる分割モード開始指示を携帯通信部５６で受け付けて、分割モードへと遷移する（同図の（Ｂ−１）参照）。
【００９３】
そして、台間装置１０は、携帯電話上で分割指定操作が可能なアプリケーション５６ａを携帯電話に対して転送する（同図の（Ｂ−２）参照）。なお、かかるアプリケーション５６ａは、あらかじめ台間装置１０内部に記憶されているものとする。
【００９４】
つづいて、転送されたアプリケーション５６ａが遊技客の携帯電話上で動作し、遊技客による分割指定分の入力を受け付けて、受け付けた内容を台間装置１０へ送信する（同図の（Ｂ−３）参照）。そして、台間装置１０は、かかる分割指定分を関連付けたカードを分割カード１Ｄとして排出する（同図の（Ｂ−４）参照）。
【００９５】
このように、従業員の操作が介在しない場合、遊技客の操作のみで保有価値の分割を行うことができるという利点がある。また、遊技店側にとっても、従業員の作業を減らすことができ、遊技店の稼働率向上を企図することができる。
【００９６】
なお、以下では、図５の（Ａ）に示した、従業員が携帯するリモコン３０のみを用いて分割カード発行処理を行う場合について主に説明することとする。
【００９７】
図４の説明に戻り、計数部１３について説明する。計数部１３は、遊技客が獲得した遊技媒体の数を計数するとともに、計数結果で記憶部１６の持玉情報１６ａを更新していく処理を行うデバイスである。
【００９８】
カード保持部１４は、図３に示したカードユニット部５７に対応するデバイスであり、同図に示したカード搬送部５７ａを含むものとする。また、カード保持部１４は、制御部１５の排出部１５ｄからのカード排出指示に基づき、カード搬送機構を通じて台間装置１０外部へカードを排出する処理を行う。
【００９９】
リーダライタ部１４ａは、アンテナ部５７ｃ（図３参照）の近傍に位置付けられたカードとデータ送受信を行うデバイスであり、図３に示したリーダライタ部５７ｂと、アンテナ部５７ｃとを含むものとする。また、リーダライタ部１４ａは、カードに関連付けられたプリペイド価値や持玉価値がある場合には、かかるプリペイド価値や持玉価値をプリペイド価値情報１６ｃや持玉情報１６ａへそれぞれ登録する処理を行う。
【０１００】
また、リーダライタ部１４ａは、制御部１５の関連付け部１５ｃからの関連付け指示に基づき、リーダライタ部１４ａに位置付けられているカードに対して保有価値の分割指定分などの関連付けを行う。
【０１０１】
格納部１４ｂは、あらかじめ所定枚数の一般カードを格納するデバイスである（図３の格納部５７ｄに対応）。なお、格納部１４ｂは、会員カードの待避領域となる場合があるが、この点の詳細については、図１０および図１１を用いて後述する。
【０１０２】
制御部１５は、図１に示した、台間装置１０の分割モードへの遷移や分割指定入力の受け付け、保有価値の分割、分割指定分のカードへの関連付けなどの処理を行う処理部である。
【０１０３】
操作受付部１５ａは、操作部１２から通知された分割モードの開始指示に基づき、管理装置２００の分割管理部２０２ａに対して分割モードの開始指示を通知する処理を行う処理部である。また、操作受付部１５ａは、操作部１２から通知された分割指定分の指示内容を分割部１５ｂに対して通知する処理部でもある。
【０１０４】
分割部１５ｂは、管理装置２００の分割管理部２０２ａから通知された分割モードの開始受付完了の通知と、操作受付部１５ａから通知された分割指定分の指示内容通知とに基づき、保有価値の分割を行う処理部である。すなわち、分割部１５ｂは、分割指定分を保有価値から分割して関連付け部１５ｃに対して分割カードへの関連付けを依頼する。
【０１０５】
なお、分割部１５ｂは、記憶部１６の持玉情報１６ａから持玉の分割指定分を減算して持玉残価値とし、記憶部１６の分割情報１６ｂへ持玉の分割指定分と併せて登録する。プリペイド価値についても、記憶部１６のプリペイド価値情報１６ｃとプリペイド価値の分割指定分とに基づいて同様の処理を行う。
【０１０６】
さらに、分割部１５ｂは、管理装置２００の分割管理部２０２ｂに対して分割移行指示を通知する処理部でもある。かかる分割移行指示には、記憶部１６に記憶された分割情報１６ｂが含まれる。
【０１０７】
関連付け部１５ｃは、分割部１５ｂから通知されたカードへの関連付け指示の内容に基づき、リーダライタ部１４ａへ位置付けられたカードを関連付け先として分割指定分の関連付けを行うように、リーダライタ部１４ａに対して指示する処理部である。
【０１０８】
また、関連付け部１５ｃは、リーダライタ部１４ａへカードが位置付けられていない場合で、かつ、あらたなカードの挿入もない場合には、格納部１４ｂの最上位に格納されているカードをリーダライタ部１４ａへ位置付けて分割指定分の関連付け先とするように指示する処理部でもある。
【０１０９】
また、関連付け部１５ｃは、管理装置２００の分割移行部２０２ｂに対して、関連付け先の通知を行う処理部でもある。なお、かかる関連付け先の通知には、関連付け先となるカードを一意に識別するカード識別子などが含まれるものとする。
【０１１０】
また、関連付け部１５ｃは、分割指定分がカードに対して関連付けられた後に、排出部１５ｄに対してカード排出指示を通知する処理部でもある。また、関連付け部１５ｃは、管理装置２００の分割移行部２０２ｂに対して、関連付け完了通知を通知する処理部でもある。
【０１１１】
また、関連付け部１５ｃは、分割指定分が関連付けられたカードが排出された後に、格納部１４ｂの最上位に格納されているカードを、残価値などの関連付け先として取り扱うように、リーダライタ部１４ａに対して指示する処理部でもある。
【０１１２】
排出部１５ｄは、関連付け部１５ｃから通知されたカード排出指示に基づき、カード保持部１４に対してカードの排出を指示する処理部である。
【０１１３】
記憶部１６は、ハードディスクドライブや不揮発性メモリといった記憶デバイスで構成される記憶部であり、持玉情報１６ａと、分割情報１６ｂと、プリペイド価値情報１６ｃとを記憶する。
【０１１４】
持玉情報１６ａは、遊技媒体の計数値であり、計数部１３によって登録される。また、カード保持部１４に挿入されたカードに持玉が関連付けられている場合には、この持玉を持玉情報１６ａの初期値として用いることも可能である。
【０１１５】
分割情報１６ｂは、分割指定分の有価価値および分割後の残価値であり、分割部１５ｂによって登録される。また、分割情報１６ｂは、分割部１５ｂが管理装置２００に対して分割移行指示を通知する際には、かかる分割移行指示に含まれることとなる。
【０１１６】
プリペイド価値情報１６ｃは、プリペイド価値を示す値である。また、プリペイド価値情報１６ｃは、紙幣挿入部５２（図３参照）に紙幣が挿入された場合に、紙幣の貨幣価値に相当する値が初期値として設定される。そして、貸出ボタンなどが押下されるたびに、払出数に相当する額が減算されていく。
【０１１７】
次に、管理装置２００の構成について説明する。同図に示すように、管理装置２００は、通信Ｉ／Ｆ（インタフェース）２０１と、制御部２０２と、記憶部２０３とを備えている。また、制御部２０２は、分割管理部２０２ａと、分割移行部２０２ｂとをさらに備えており、記憶部２０３は、分割管理情報２０３ａと、持玉情報２０３ｂと、プリペイド価値情報２０３ｃとを記憶する。
【０１１８】
通信Ｉ／Ｆ（インタフェース）２０１は、ＬＡＮ（Local  Area  Network）ボードなどの通信デバイスで構成され、図２に示した店舗内ＬＡＮ２０などのネットワーク経由で、台間装置１０とのデータ送受信を行う。
【０１１９】
制御部２０２は、分割に関する管理、保有価値の分割移行などの処理を行う処理部である。
【０１２０】
分割管理部２０２ａは、台間装置１０の操作受付部１５ａから通知された分割モードの開始指示に基づき、台番号や分割モード開始時刻などを含む分割管理情報２０３ａを登録する処理を行う処理部である。また、分割管理部２０２ａは、台間装置１０の分割部１５ｂに対して、分割モード開始受付完了の通知を行う処理部でもある。
【０１２１】
また、分割管理部２０２ａは、台間装置１０の関連付け部１５ｃからの関連付け完了通知を分割移行部２０２ｂ経由で受け取り、分割モード終了時刻などを含む分割管理情報２０３ａを更新する処理を行う処理部でもある。
【０１２２】
分割移行部２０２ｂは、台間装置１０の分割部１５ｂから通知された分割移行指示と、同関連付け部１５ｃから通知された関連付け先の通知とに基づき、持玉情報２０３ｂおよびプリペイド価値情報２０３ｃを更新する処理を行う。具体的には、分割移行指示に含まれる分割指定分の持玉やプリペイド価値などを、関連付け先通知が含むカード識別子へと関連付けて、持玉情報２０３ｂおよびプリペイド価値情報２０３ｃへ登録する。
【０１２３】
また、分割移行部２０２ｂは、台間装置１０の関連付け部１５ｃから通知された関連付け完了通知を、分割管理部２０２ａに対して通知する処理を行う処理部でもある。
【０１２４】
記憶部２０３は、ハードディスクドライブや不揮発性メモリといった記憶デバイスで構成される記憶部であり、分割管理情報２０３ａと、持玉情報２０３ｂと、プリペイド価値情報２０３ｃとを記憶する。
【０１２５】
分割管理情報２０３ａは、台番号や分割モード開始時刻、分割モード終了時刻といった台間装置１０ごとの分割モードに関する情報であり、図２に示した分割管理ＤＢ２００ａによって管理される。
【０１２６】
また、持玉情報２０３ｂは、カード識別子といった記憶媒体を一意に識別する識別子ごとに持玉数などを関連付けた情報であり、分割移行部２０２ｂによって更新される。同様に、プリペイド価値情報２０３ｃは同識別子ごとにプリペイド価値などを関連付けた情報であり、同じく分割移行部２０２ｂによって更新される。
【０１２７】
次に、台間装置１０が実行する処理手順の概要について、図７を用いて説明する。図７は、本実施例１に係る台間装置１０が実行する処理手順の概要を示す図である。なお、以下の説明においても、保有価値や分割指定分などの内容は、図１などに示したものと同様とする。
【０１２８】
図７の（Ａ−１）に示したように、台間装置１０は、まず、従業員が携帯するリモコン３０から分割モードの開始指示と分割指定分の入力とを受け付ける。
【０１２９】
つづいて、同図の（Ａ−２）に示したように、台間装置１０は、分割指定分の関連付け先となる新カード１ｎの挿入を受け付ける。新カード１ｎは、カードユニット部５７のカード搬送機構を通じてリーダライタ部５７ｂへと位置付けられる。なお、同図に示した一般カードＡ１ａは、格納部５７ｄの最上位に位置する一般カードである。
【０１３０】
そして、同図の（Ａ−３）に示したように、台間装置１０は、保有価値から分割指定分を減算して残価値を算出し、分割指定分および残価値を含む分割移行指示を上位装置である管理装置２００に対して通知する。なお、図示していないが、かかる分割移行指示の内容には、分割指定分の関連付け先となる新カード１ｎのカード識別子も含まれるものとする。そして、台間装置１０は、同図の枠Ｄに示した分割指定分の有価価値を、新カード１ｎに対して関連付ける。
【０１３１】
そして、同図の（Ａ−４）に示したように、新カード１ｎは分割カード１Ｄ（図１参照）として、台間装置１０のカードユニット部５７から排出される。
【０１３２】
次に、台間装置１０が実行する処理手順について図８を用いて説明する。図８は、本実施例１に係る台間装置１０が実行する処理手順を示すフローチャートである。
【０１３３】
図８に示すように、台間装置１０は、分割モードの開始指示を受け付けたか否かを判定する（ステップＳ１０１）。そして、同開始指示を受け付けた場合には（ステップＳ１０１，Ｙｅｓ）、操作受付部１５ａが管理装置２００に対して分割モード開始指示を通知して、分割モードへと遷移する（ステップＳ１０２）。なお、ステップＳ１０１の判定条件を満たさなかった場合には（ステップＳ１０１，Ｎｏ）、ステップＳ１０１の処理を繰り返す。
【０１３４】
つづいて、台間装置１０は、分割指定分の指示入力を受け付けたか否かを判定する（ステップＳ１０３）。そして、同指示入力を受け付けた場合には（ステップＳ１０３，Ｙｅｓ）、かかる分割指定分を記憶部１６へと記憶する（ステップＳ１０４）。なお、ステップＳ１０３の判定条件を満たさなかった場合には（ステップＳ１０３，Ｎｏ）、ステップＳ１０３の処理を繰り返す。
【０１３５】
つづいて、台間装置１０は、新カード１ｎの挿入を受け付けたか否かを判定する（ステップＳ１０５）。そして、新カード１ｎの挿入を受け付けた場合には（ステップＳ１０５，Ｙｅｓ）、かかる新カード１ｎをカードユニット部５７のリーダライタ部５７ｂへと位置付ける（ステップＳ１０６）。なお、ステップＳ１０５の判定条件を満たさなかった場合には（ステップＳ１０５，Ｎｏ）、ステップＳ１０５の処理を繰り返す。
【０１３６】
そして、台間装置１０は、保有価値から分割指定分を減算して残価値を算出し（ステップＳ１０７）、上位装置である管理装置２００に対して価値分割移行を依頼する（ステップＳ１０８）。なお、かかる価値分割移行の依頼は、図７の（Ａ−３）に示した分割移行指示に対応し、分割指定分のプリペイド価値や新カード１ｎのカード識別子などを含むものとする。
【０１３７】
つづいて、台間装置１０は、分割指定分を新カード１ｎへ関連付け（ステップＳ１０９）、新カード１ｎを分割カード１Ｄとしてカードユニット部５７から排出する（ステップＳ１１０）。そして、管理装置２００に対して関連付け完了通知を通知して分割モードを解除し（ステップＳ１１１）、処理を終了する。
【０１３８】
このように、あらたにカードユニット部５７へ挿入する新カード１ｎを分割指定分の関連付け先とする場合、挿入されたカードへ分割指定分の価値が関連付けられて排出されるため、価値の動きがわかりやすいというメリットがある。
【０１３９】
また、分割指定分の価値を譲り受ける遊技客が会員カードを所持している場合や、残価値のある一般カードを所持している場合に、かかるカードを新カード１ｎとして取り扱うことで、複数のカードを所持しないで済むというメリットもある。
【０１４０】
ところで、これまでは、あらたにカードユニット部５７へ挿入する新カード１ｎを分割分の関連付け先とする場合について説明してきたが、あらかじめ格納部５７ｄに格納されている一般カードをかかる関連付け先とすることとしてもよい。そこで、以下では、あらかじめ格納部５７ｄに格納されている一般カードを分割カード１Ｄとする場合について、図９を用いて説明することとする。図９は、実施例１に係る台間装置１０が実行する処理手順の変形例を示す図である。
【０１４１】
図９の（Ａ−１）に示したように、台間装置１０は、まず、分割モードの開始指示と分割指定分の入力とを受け付ける。
【０１４２】
つづいて、同図の（Ａ−２）に示したように、台間装置１０は、あらかじめ格納部５７ｄの最上位に格納されている一般カードＡ１ａを、カードユニット部５７のカード搬送機構を通じてリーダライタ部５７ｂへと位置付ける。
【０１４３】
そして、同図の（Ａ−３）に示したように、台間装置１０は、分割指定分および残価値を含む分割移行指示を上位装置である管理装置２００に対して通知し、同図の枠Ｄに示した分割指定分の有価価値を、一般カードＡ１ａに対して関連付ける。
【０１４４】
そして、同図の（Ａ−４）に示したように、一般カードＡ１ａは分割カード１Ｄ（図１参照）として、台間装置１０のカードユニット部５７から排出される。
【０１４５】
なお、同図に示した一般カードＢ１ｂは、一般カードＡ１ａがリーダライタ部５７ｂへ位置付けられたことによって、格納部５７ｄの最上位に位置することとなる一般カードである。したがって、さらに残価値などをカードに対して関連付ける場合には、台間装置１０は、かかる一般カードＢ１ｂをあらたな関連付け先として取り扱うこととなる。
【０１４６】
このように、あらかじめ格納部５７ｄに格納されている一般カードＡ１ａを分割指定分の関連付け先とする場合、来店して遊技を開始しようとする遊技客や、他の遊技台で保有価値を使い切ってしまった遊技客のように、カードを所持していない遊技客が譲り渡しを受ける場合に好適である。
【０１４７】
また、分割指定分の関連付け先を、新カード１ｎあるいは一般カードＡ１ａで適宜切り替えることとしてもよい。かかる場合、たとえば、分割モードの開始指示と分割指定分の入力とを受け付けた後に、所定の時間内に新カード１ｎが挿入されれば新カード１ｎを、挿入されなければ一般カードＡ１ａを、分割分の関連付け先として取り扱うこととすればよい。また、入力指示の中に、新カード１ｎあるいは一般カードＡ１ａを指定する指示を含めることとしてもよい。
【０１４８】
上述してきたように、本実施例１では、操作受付部が、分割指示を受け付けた場合に、分割部が保有価値を分割指示に基づいて分割し、関連付け部が分割された保有価値の一部をカード保持部によって保持されたカードへ関連付け、排出部がかかるカードを分割カードとして排出するように台間装置を構成した。したがって、持玉やプリペイド価値といった有価価値を分割しての譲り渡しを、既存のカード以外の記録媒体を利用することなく行うことができる。
【０１４９】
さて、これまでは、会員カードを利用中でない遊技客（主に一般客）が一般カードで譲り渡しを行う場合を実施例１として説明してきたが、以下に示す実施例２では、会員カードを利用中の遊技客（主に会員）が一般カードで譲り渡しを行う場合について説明することとする。
【実施例２】
【０１５０】
本実施例２では、まず、台間装置１０が実行する処理手順の概要について、図１０を用いて説明する。図１０は、本実施例２に係る台間装置が実行する処理手順の概要を示す図である。なお、以下の説明においても、操作方法や保有価値、分割指定分などの内容は、実施例１に示したものと同様とする。
【０１５１】
図１０の（Ａ−１）に示したように、台間装置１０は、まず、分割モードの開始指示と分割指定分の入力とを受け付ける。
【０１５２】
つづいて、同図の（Ａ−２）に示したように、台間装置１０は、分割指定分の関連付け先となる新カード１ｎの挿入を受け付ける。ここで、新カード１ｎは、カードユニット部５７のカード搬送機構を通じてリーダライタ部５７ｂへと位置付けられることとなるが、会員カード１ｍを利用して遊技中の場合、リーダライタ部５７ｂには会員カード１ｍが位置付けられている。
【０１５３】
そこで、同図の（Ａ−３）に示したように、台間装置１０は、会員カード１ｍをリーダライタ部５７ｂから格納部５７ｄへと一旦待避した後、新カード１ｎをリーダライタ部５７ｂへと位置付ける。
【０１５４】
そして、同図の（Ａ−４）に示したように、台間装置１０は、分割指定分および残価値を含む分割移行指示を上位装置である管理装置２００に対して通知し、同図の枠Ｄに示した分割指定分の有価価値を、新カード１ｎに対して関連付ける。
【０１５５】
そして、同図の（Ａ−５）に示したように、新カード１ｎは分割カード１Ｄ（図１参照）として、台間装置１０のカードユニット部５７から排出され、格納部５７ｄへ退避されていた会員カード１ｍがあらためてリーダライタ部５７ｂへと位置付けられる。      
【０１５６】
次に、台間装置１０が実行する処理手順について図１１を用いて説明する。図１１は、実施例２に係る台間装置１０が実行する処理手順を示すフローチャートである。
【０１５７】
図１１に示すように、台間装置１０は、分割モードの開始指示を受け付けたか否かを判定する（ステップＳ２０１）。そして、同開始指示を受け付けた場合には（ステップＳ２０１，Ｙｅｓ）、操作受付部１５ａが管理装置２００に対して分割モード開始指示を通知して、分割モードへと遷移する（ステップＳ２０２）。なお、ステップＳ２０１の判定条件を満たさなかった場合には（ステップＳ２０１，Ｎｏ）、ステップＳ２０１の処理を繰り返す。
【０１５８】
つづいて、台間装置１０は、分割指定分の指示入力を受け付けたか否かを判定する（ステップＳ２０３）。そして、同指示入力を受け付けた場合には（ステップＳ２０３，Ｙｅｓ）、かかる分割指定分を記憶部１６へと記憶する（ステップＳ２０４）。なお、ステップＳ２０３の判定条件を満たさなかった場合には（ステップＳ２０３，Ｎｏ）、ステップＳ２０３の処理を繰り返す。
【０１５９】
つづいて、台間装置１０は、新カード１ｎの挿入を受け付けたか否かを判定する（ステップＳ２０５）。そして、新カード１ｎの挿入を受け付けた場合には（ステップＳ２０５，Ｙｅｓ）、会員カード１ｍをリーダライタ部５７ｂから格納部５７ｄへと待避したうえで（ステップＳ２０６）、新カード１ｎをリーダライタ部５７ｂへと位置付ける（ステップＳ２０７）。なお、ステップＳ２０５の判定条件を満たさなかった場合には（ステップＳ２０５，Ｎｏ）、ステップＳ２０５の処理を繰り返す。
【０１６０】
そして、台間装置１０は、保有価値から分割指定分を減算して残価値を算出し（ステップＳ２０８）、上位装置である管理装置２００に対して価値分割移行を依頼する（ステップＳ２０９）。なお、かかる価値分割移行の依頼は、図１０の（Ａ−４）に示した分割移行指示に対応し、分割指定分のプリペイド価値や新カード１ｎのカード識別子などを含むものとする。
【０１６１】
つづいて、台間装置１０は、分割指定分を新カード１ｎへ関連付け（ステップＳ２１０）、新カード１ｎを分割カード１Ｄとしてカードユニット部５７から排出する（ステップＳ２１１）。そして、ステップＳ２０６で待避した会員カード１ｍをあらためてリーダライタ部５７ｂへ位置付けたうえで（ステップＳ２１２）、管理装置２００に対して関連付け完了通知を通知して分割モードを解除し（ステップＳ２１３）、処理を終了する。
【０１６２】
ところで、本実施例２では、会員カード１ｍの利用中に、あらたにカードユニット部５７へ挿入する新カード１ｎを分割分の関連付け先とする場合について説明してきた。しかしながら、実施例１の変形例と同様に、あらかじめ格納部５７ｄに格納されている一般カードをかかる関連付け先とすることとしてもよい。
【０１６３】
そこで、以下では、会員カード１ｍの利用中に、あらかじめ格納部５７ｄに格納されている一般カードを分割カード１Ｄとする場合について、図１２を用いて説明することとする。図１２は、実施例２に係る台間装置が実行する処理手順の変形例を示す図である。
【０１６４】
図１２の（Ａ−１）に示したように、台間装置１０は、まず、分割モードの開始指示と分割指定分の入力とを受け付ける。
【０１６５】
つづいて、台間装置１０は、あらかじめ格納部５７ｄの最上位に格納されている一般カードＡ１ａをリーダライタ部５７ｂへと位置付けることとなるが、会員カード１ｍの利用中であれば、すでにリーダライタ部５７ｂに位置付けられている会員カード１ｍを排出する必要が生じる。
【０１６６】
そこで、同図の（Ａ−２）に示したように、台間装置１０は、分割指定分および残価値を含む分割移行指示を上位装置である管理装置２００に対して通知し、同図の枠Ｚに示した残価値を、まず会員カード１ｍに対して関連付ける。
【０１６７】
そして、同図の（Ａ−３）に示したように、会員カード１ｍを台間装置１０のカードユニット部５７ｂから排出したうえで、あらかじめ格納部５７ｄの最上位に格納されている一般カードＡ１ａを、リーダライタ部５７ｂへと位置付ける。
【０１６８】
そして、同図の（Ａ−４）に示したように、台間装置１０は、同図の枠Ｄに示した分割指定分の有価価値を、一般カードＡ１ａに対して関連付ける。
【０１６９】
そして、同図の（Ａ−５）に示したように、一般カードＡ１ａは分割カード１Ｄ（図１参照）として、台間装置１０のカードユニット部５７から排出される。
【０１７０】
上述してきたように、本実施例２では、会員カードの利用中に、操作受付部が分割指示を受け付けた場合に、分割部が保有価値を分割指示に基づいて分割し、関連付け部が分割された保有価値の一部を、カード保持部が会員カードを格納部に待避したうえでリーダライタ部に保持したカードへ関連付け、排出部がかかるカードを分割カードとして排出するように台間装置を構成した。したがって、持玉やプリペイド価値といった有価価値を分割しての譲り渡しを、既存のカード以外の記録媒体を利用することなく行うことができる。
【０１７１】
また、持玉分割処理は分割元の遊技客が獲得玉の計数中であっても可能である。その場合の操作手順を以下に説明する。遊技客あるいは従業員による分割モード開始指示を受信すると、その時点での持玉を最大数として分割を行うことができるようにする。
【０１７２】
まだ計数中の場合には、表示部の持玉数はカウントアップをし続ける。上記の場合のデータの管理は分割可能持玉数とカウントアップ中の現在持玉数との２種類の持玉数を管理することとなる。なお、管理場所は、台間装置または管理装置のいずれでも構わない。同様にプリペイド価値も貨幣の追加入金等の加算行為であれば分割処理中であっても可能である。
【０１７３】
なお、上述した各実施例では、持玉やプリペイド価値を分割する場合について説明したが、持玉等を合算する場合に本発明を適用することとしてもよい。たとえば、従業員が携帯するリモコン操作などによって合算モードへ遷移させ、遊技中の遊技客に対応する保有価値と、あらたに挿入されたカードに関連付けられている有価価値とを合算することとしてもよい。
【０１７４】
この場合、合算価値の関連付け先は、あらたに挿入されたカードとしてもよく、台間装置が保持しているカードとしてもよい。なお、台間装置が保持しているカードへ合算価値を関連付ける場合には、あらたに挿入されたカードの価値を無効化したうえで、排出することとすればよい。
【０１７５】
また、上述した各実施例では、プリペイド価値はプリペイド価値として、持玉は持玉として分割する場合について説明したが、たとえば、プリペイド価値の一部を分割して持玉へ移行することとしてもよい。
【０１７６】
また、上述した各実施例では、持玉を分割する場合について説明したが、貯玉を分割して持玉へ移行することとしてもよい。なお、貯玉とは、遊技店の会員が獲得した遊技媒体を遊技店に預け入れることができる遊技媒体価値のことで、会員は、再来店時に貯玉によって遊技媒体を貸し出し、遊技を行うことができる。
【０１７７】
また、上述した本発明に係る台間装置の構成の一部などを、管理装置や店内カウンタなどに設けられるＰＯＳ端末など他の装置上に構成することとしてもよい。たとえば、ユーザインタフェースに関わる処理のみを台間装置上に配置し、分割部や関連付け部などを管理装置上に配置することとしてもよい。また、ＰＯＳ端末が、分割元となるカードと、分割先となるカードを受け付け、分割指定分の価値を分割先となるカードへ関連付けるとともに、残価値を分割元となるカードへ関連付けることとしてもよい。
【産業上の利用可能性】
【０１７８】
以上のように、本発明に係る台間装置および分割記録媒体発行システムは、持玉やプリペイド価値といった有価価値をカードへ関連付ける場合であっても、複数の遊技客間で有価価値を分割して共有したい場合に有用であり、特に、有価価値を分割してカードで共有したい遊技客の利便性を向上させて信頼を獲得し、ひいては遊技店の稼働率の向上を企図する遊技店のシステムへの適用に適している。
【符号の説明】
【０１７９】
１    カード
１ａ  一般カードＡ
１ｂ  一般カードＢ
１Ｄ  分割カード
１ｍ  会員カード
１ｎ  新カード
１０    台間装置
１１    通信Ｉ／Ｆ
１２    操作部
１３    計数部
１４    カード保持部
１４ａ  リーダライタ部
１４ｂ  格納部
１５    制御部
１５ａ  操作受付部
１５ｂ  分割部
１５ｃ  関連付け部
１５ｄ  排出部
１６    記憶部
１６ａ  持玉情報
１６ｂ  分割情報
１６ｃ  プリペイド価値情報
２０    店舗内ＬＡＮ
３０    リモコン
５１    状態表示部
５２    紙幣挿入部
５３    リモコン受光部
５４    操作・表示部
５４ａ  ７セグ操作部
５４ｂ  液晶操作部
５５    払出部
５６    携帯通信部
５６ａ  アプリケーション
５７    カードユニット部
５７ａ  カード搬送部
５７ｂ  リーダライタ部
５７ｃ  アンテナ部
５７ｄ  格納部
５８    計数部
５９    玉貯留部
１００    遊技台
２００    管理装置
２００ａ  分割管理ＤＢ
２００ｂ  持玉ＤＢ
２００ｃ  プリペイドカードＤＢ
２０１    通信Ｉ／Ｆ
２０２    制御部
２０２ａ  分割管理部
２０２ｂ  分割移行部
２０３    記憶部
２０３ａ  分割管理情報
２０３ｂ  持玉情報
３００    島コントローラ
４００    精算機
５００    景品管理機
６００    カード処理機
７００    景品払出機
【図１】
0006018359.tif 000002
【図２】
0006018359.tif 000003
【図３】
0006018359.tif 000004
【図４】
0006018359.tif 000005
【図５】
0006018359.tif 000006
【図６】
0006018359.tif 000007
【図７】
0006018359.tif 000008
【図８】
0006018359.tif 000009
【図９】
0006018359.tif 000010
【図１０】
0006018359.tif 000011
【図１１】
0006018359.tif 000012
【図１２】
0006018359.tif 000013